(57)【要約】  本発明は、サポート・ボディと、フローティング・ボディと、複数のたわみアームとを備えたコンプライアント・デバイスを対象としている。複数の伝達アームは、それぞれ、サポート・ボディとフローティング・ボディの間に接続されており、それらの間で並列に荷重を伝達している。そのために、たわみアームは、第１のセットと第２のセットのたわみ継手を有している。第１のセットのたわみ継手は、第１の方向に沿って展開している第１の軸の周りの前記たわみアームの回転動きを容易にしている。第２のセットのたわみ継手は、第１の方向に対して横方向の第２の方向に沿って展開している第２の軸の周りのたわみアームの回転動きを容易にするようになされている。たわみ継手は回転継手である。
2008504140.tif 000002
【特許請求の範囲】
【請求項１】
サポート・ボディと、
フローティング・ボディと、
複数のたわみアームであって、それぞれ前記サポート・ボディと前記フローティング・ボディの間に接続され、前記サポート・ボディと前記フローティング・ボディの間で、前記複数のたわみアームの残りのたわみアームに対して並列に荷重を伝達するたわみアームとを備えたコンプライアント・デバイス。
【請求項２】
前記複数のたわみアームの各々のサブセットが、第１のセットと第２のセットのたわみ継手を有し、前記第１のセットのたわみ継手が、第１の軸の周りの前記たわみアームの回転動きを容易にし、前記第２のセットのたわみ継手が、第２の軸の周りの前記たわみアームの回転動きを容易にするようになされた請求項１に記載のコンプライアント・デバイス。
【請求項３】
前記複数のたわみ部材が前記サポート・ボディと前記フローティング・ボディの間に結合され、前記フローティング・ボディと前記サポート・ボディの間の、横方向に延び、一点で交差している２つの軸の周りの相対回転動きを容易にしている請求項１に記載のデバイス。
【請求項４】
前記複数のたわみ部材が前記サポート・ボディと前記フローティング・ボディの間に結合され、前記フローティング・ボディと前記サポート・ボディの間の、横方向に延び、一点で交差している２つの軸の周りの相対回転動きを容易にし、横方向に延びている前記２つの軸のうちの一方の軸の周りの動きが、横方向に延びている前記２つの軸のうちのもう一方の軸の周りの動きから結合解除された請求項１に記載のデバイス。
【請求項５】
前記複数のたわみ部材が前記サポート・ボディと前記フローティング・ボディの間に結合され、前記フローティング・ボディと前記サポート・ボディの間の、横方向に延び、一点で交差している２つの軸の周りの相対回転動きを容易にし、かつ、前記サポート・ボディと前記フローティング・ボディの間の相対並進動きを最小化している請求項１に記載のデバイス。
【請求項６】
前記複数のたわみアームの各々のサブセットが、２つの横方向の軸の周りの前記たわみアームの回転動きを容易にするようになされた２つのセットの回転継手を有する請求項１に記載のコンプライアント・デバイス。
【請求項７】
前記サポート・ボディ、前記フローティング・ボディ前記複数のたわみアームが一体形成された請求項１に記載のコンプライアント・デバイス。
【請求項８】
前記複数のたわみアームが、前記サポート・ボディと前記フローティング・ボディの間で伝達されるすべての荷重が並列に生じるように結合された請求項１に記載のコンプライアント・デバイス。
【請求項９】
前記フローティング・ボディが開口を備え、前記複数のたわみアームの各々の一方の端部が前記開口の外側で前記フローティング・ボディに結合された請求項１に記載のコンプライアント・デバイス。
【請求項１０】
前記サポート・ボディが通路を備え、前記複数のたわみアームの第２の端部が前記通路の外側で前記サポート・ボディに結合された請求項１に記載のコンプライアント・デバイス。
【請求項１１】
前記サポート・ボディと前記フローティング・ボディの間の角度的な動き並進動きを容易にするように結合されたアクチュエータ・システムをさらに備えた請求項１に記載のコンプライアント・デバイス。
【請求項１２】
サポート・ボディと、
フローティング・ボディと、
複数のたわみアームであって、その各々が、前記サポート・ボディと前記フローティング・ボディの間の、第１の軸グループ第２の軸グループの周りの回転動きを許容するように結合され、前記第１の軸グループが前記第２の軸グループに対して横方向に延びているたわみアームとを備えたコンプライアント・デバイス。
【請求項１３】
前記複数のたわみアームが、前記フローティング・ボディと前記サポート・ボディの間に結合された４つのたわみアームからなり、一点の周りの回転動きを容易にし、かつ、所定のセットの軸に沿った並進動きを最小化している請求項１２に記載のコンプライアント・デバイス。
【請求項１４】
前記複数のたわみアームが、前記フローティング・ボディと前記サポート・ボディの間に結合され、前記サポート・ボディと前記フローティング・ボディの両方から間隔を隔てた一点の周りの回転動きを容易にし、かつ、所定の軸に沿った前記フローティング・ボディの並進動きを最小化している請求項１２に記載のコンプライアント・デバイス。
【請求項１５】
前記複数のたわみ部材が前記サポート・ボディと前記フローティング・ボディの間に結合され、前記フローティング・ボディと前記サポート・ボディの間の、横方向に延び、一点で交差している２つの軸の周りの相対回転動きを容易にしている請求項１２に記載のデバイス。
【請求項１６】
前記複数のたわみ部材が前記サポート・ボディと前記フローティング・ボディの間に結合され、前記フローティング・ボディと前記サポート・ボディの間の、横方向に延び、一点で交差している２つの軸の周りの相対回転動きを容易にし、横方向に延びている前記２つの軸のうちの一方の軸の周りの動きが、横方向に延びている前記２つの軸のうちのもう一方の軸の周りの動きから結合解除された請求項１２に記載のデバイス。
【請求項１７】
前記複数のたわみ部材が前記サポート・ボディと前記フローティング・ボディの間に結合され、前記フローティング・ボディと前記サポート・ボディの間の、横方向に延び、一点で交差している２つの軸の周りの相対回転動きを容易にし、かつ、前記サポート・ボディと前記フローティング・ボディの間の相対並進動きを最小化している請求項１２に記載のデバイス。
【請求項１８】
前記複数のたわみアームの各々のサブセットがたわみ継手のグループを有し、そのうちの１つが第１の軸の周りの回転を容易にするように結合され、残りのたわみ継手が、前記第１の軸に対して横方向に延びている第２の軸の周りの回転動きを容易にするように結合された請求項１２に記載のコンプライアント・デバイス。
【請求項１９】
前記複数のたわみアームの各々のサブセットが、２つの横方向の軸の周りの前記たわみアームの回転動きを容易にするようになされた２つのセットの回転継手を有する請求項１２に記載のコンプライアント・デバイス。
【請求項２０】
前記サポート・ボディ、前記フローティング・ボディ前記複数のたわみアームが一体形成された請求項１２に記載のコンプライアント・デバイス。
【請求項２１】
前記複数のたわみアームが、前記サポート・ボディと前記フローティング・ボディの間で伝達されるすべての荷重が並列に生じるように結合された請求項１２に記載のコンプライアント・デバイス。
【請求項２２】
前記サポート・ボディと前記フローティング・ボディの間の角度的な動き並進動きを容易にするように結合されたアクチュエータ・システムをさらに備えた請求項１２に記載のコンプライアント・デバイス。
【請求項２２】
前記フローティング・ボディが開口を備え、前記サポート・ボディが、前記開口と重畳した通路を備え、前記たわみアームの各々の第１の端部が前記開口の外側で前記フローティング・ボディに結合され、前記複数のたわみアームの各々の第２の端部が前記通路の外側で前記サポート・ボディに結合された請求項１２に記載のコンプライアント・デバイス。
【請求項２３】
サポート・ボディと、
フローティング・ボディと、
前記サポート・ボディと前記フローティング・ボディの間に結合された複数のたわみアームであって、前記サポート・ボディと前記フローティング・ボディの間の、複数の軸の周りの回転動きを許容し、前記複数のたわみアームが、それぞれ、前記複数の軸のグループがオーバラップする位置に配置されたたわみアームとを備えたコンプライアント・デバイス。
【請求項２４】
前記複数のたわみアームの各々の第１の端部が、前記複数の軸の第１の対がオーバラップする位置で前記サポート・ボディに結合され、前記複数のたわみアームの各々の第２の端部が、前記複数の軸の第２の対がオーバラップする位置で前記フローティング・ボディに結合された請求項２３に記載のコンプライアント・デバイス。
【請求項２５】
前記複数のたわみアームの各々のサブセットが、第１のセットと第２のセットのたわみ継手を有し、前記第１のセットのたわみ継手が、第１の方向に沿って延びている軸の第１のグループの周りの回転動きを容易にし、前記第２のセットのたわみ継手が、前記第１の方向に対して横方向の第２の方向に沿って延びている軸の第２のグループの周りの前記たわみアームの回転動きを容易にしている請求項２３に記載のコンプライアント・デバイス。
【請求項２６】
前記複数のたわみ部材が前記サポート・ボディと前記フローティング・ボディの間に結合され、前記フローティング・ボディと前記サポート・ボディの間の、横方向に延び、一点で交差している２つの軸の周りの相対回転動きを容易にしている請求項２３に記載のデバイス。
【請求項２７】
前記複数のたわみ部材が前記サポート・ボディと前記フローティング・ボディの間に結合され、前記フローティング・ボディと前記サポート・ボディの間の、横方向に延び、一点で交差している２つの軸の周りの相対回転動きを容易にし、横方向に延びている前記２つの軸のうちの一方の軸の周りの動きが、横方向に延びている前記２つの軸のうちのもう一方の軸の周りの動きから結合解除された請求項２３に記載のデバイス。
【請求項２８】
前記複数のたわみ部材が前記サポート・ボディと前記フローティング・ボディの間に結合され、前記フローティング・ボディと前記サポート・ボディの間の、横方向に延び、一点で交差している２つの軸の周りの相対回転動きを容易にし、かつ、前記サポート・ボディと前記フローティング・ボディの間の相対並進動きを最小化している請求項２３に記載のデバイス。
【請求項２９】
前記複数のたわみアームの各々のサブセットが、２つの横方向の軸の周りの前記たわみアームの回転動きを容易にするようになされた２つのセットの回転継手を有する請求項２３に記載のコンプライアント・デバイス。
【請求項３０】
前記サポート・ボディ、前記フローティング・ボディ前記複数のたわみアームが一体形成された請求項２３に記載のコンプライアント・デバイス。
【請求項３１】
前記複数のたわみアームが、前記サポート・ボディと前記フローティング・ボディの間で伝達されるすべての荷重が並列に生じるように結合された請求項２３に記載のコンプライアント・デバイス。
【請求項３２】
前記フローティング・ボディが開口を備え、前記たわみアームの各々の一方の端部が前記開口の外側で前記フローティング・ボディに結合された請求項２３に記載のコンプライアント・デバイス。
【請求項３３】
前記フローティング・ボディが開口を備え、前記サポート・ボディが、前記開口と重畳した通路を備え、前記たわみアームの各々の第１の端部が前記開口の外側で前記フローティング・ボディに結合され、前記複数のたわみアームの各々の第２の端部が前記通路の外側で前記サポート・ボディに結合された請求項２３に記載のコンプライアント・デバイス。
【請求項３４】
前記サポート・ボディと前記フローティング・ボディの間の角度的な動き並進動きを容易にするように結合されたアクチュエータ・システムをさらに備えた請求項２３に記載のコンプライアント・デバイス。
【発明の詳細な説明】
【技術分野】
【０００１】
本発明の分野は一般にリモート・センタ・コンプライアント・デバイスに関する。より詳細には、本発明は、インプリント・リソグラフィにおける使用に適した、テンプレートを保持するためのコンプライアント・デバイスを対象としている。
【背景技術】
【０００２】
コンプライアント・デバイスは、１つのボディを他のボディに対して追従するようにフローティングさせ、かつ、それらの間に所望の動き自由度を提供するための弾性特性を有するデバイスである。これらの特性により、フローティング・ボディは、とりわけワーク面に対する許容誤差を外れた空間配向を補償することができる。能動コンプライアント・デバイスには、ボディとボディの間の所望の空間配向を達成するためにアクチュエータが使用されている。「受動」コンプライアント・デバイスは、電力を使用しない非アクティブ制御である。任意の並進方向または回転方向に動き学的に制限することができるため、「受動」コンプライアント・デバイスは、相互接続リンケージと受動弾性エレメント、たとえばばねを介して、フローティング・ボディとワーク・ピースの間の適切な空間配向を達成している。フローティング・ボディとワーク面が接触すると、追従機能が作用する。そのために、フローティング・ボディとリンケージを介してフローティング・ボディに結合されたサポート・ボディとの間で伝達される力を直列または並列方式で達成することができる。
【０００３】
インプリント・リソグラフィに使用するためのリモート受動コンプライアント・デバイスを開示した、Ｂａｉｌｅｙらに対する米国特許第６，６９６，２２０号に、例示的なコンプライアント・デバイスが示されている。このリモート受動コンプライアント・デバイスは、フローティング・ボディと複数のリンケージを介してフローティング・ボディに直列に結合されたサポート・ボディとの間の力の伝達を容易にしている。リンケージは、フローティング・ボディとサポート・ボディの間にたわみ継手によって結合されている。この構成によれば、インプリント・リソグラフィ・テンプレートとワーク面のインプリント材料との間の適切な空間配向が達成される。
【発明の開示】
【発明が解決しようとする課題】
【０００４】
したがって、インプリント・リソグラフィ・プロセスに使用するための改良型コンプライアント・デバイスを提供する必要がある。
【課題を解決するための手段】
【０００５】
本発明は、サポート・ボディと、フローティング・ボディと、複数のたわみアームとを備えたコンプライアント・デバイスを対象としている。複数の伝達アームは、それぞれ、サポート・ボディとフローティング・ボディの間に接続されており、それらの間で並列に荷重を伝達している。そのために、たわみアームは、第１のセットと第２のセットのたわみ継手を有している。第１のセットのたわみ継手は、第１の方向に沿って延びている第１の軸の周りのたわみアームの回転動きを容易にしている。第２のセットのたわみ継手は、第１の方向に対して横方向の第２の方向に沿って延びている第２の軸の周りのたわみアームの回転動きを容易にするようになされている。たわみ継手は回転継手である。したがって、たわみアームの動きは、横方向に配向された２つの軸の周りの回転動きに制限されている。一実施態様では、コンプライアント・デバイスは受動コンプライアント・デバイスである。代替実施態様では、コンプライアント・デバイスは能動コンプライアント・デバイスである。以下、これらおよび他の実施態様について、より詳細に説明する。
【発明を実施するための最良の形態】
【０００６】
図１を参照すると、オリエンテーション・ステージ１０は、外側フレーム１４の近傍に配置された内側フレーム１２、たわみリング１６、コンプライアント・デバイス１８を有している。コンプライアント・デバイス１８については、以下でより詳細に説明する。オリエンテーション・ステージ１０のコンポーネントは、適切な任意の材料、たとえばアルミニウム、ステンレス鋼などから形成することができ、ねじが切られたファスナ（図示せず）などの適切な任意の手段を使用して１つに結合させることができる。テンプレート・チャック２０は、図２により明確に示されているオリエンテーション・ステージ１０に結合されている。詳細には、テンプレート・チャック２０は、コンプライアント・デバイス１８に結合されている。テンプレート・チャック２０は、図１に示すテンプレート２２を支持するように構成されている。参照により本明細書に組み込まれている、本発明の譲受人に譲渡された、「Ｃｈｕｃｋ  Ｓｙｓｔｅｍ  ｆｏｒ  Ｍｏｄｕｌａｔｉｎｇ  Ｓｈａｐｅｓ  ｏｆ  Ｓｕｂｓｔｒａｔｅ」という名称の米国特許公告第２００４／００９０６１１号に、例示的なテンプレート・チャックが開示されている。テンプレート・チャック２０は、テンプレート・チャック２０の四隅をテンプレート・チャック２０の近傍に位置しているコンプライアント・デバイス１８の四隅に結合され、ねじが切られたファスナ（図示せず）などの適切な任意の手段を使用してコンプライアント・デバイス１８に結合されている。
【０００７】
図１、２を参照すると、内側フレーム１２は、面２５によって取り囲まれた中央通路２４を有しており、外側フレーム１４は、中央通路２４と重畳している中央開口２６を有している。たわみリング１６の形状は環状であり、たとえば円形または楕円形である。たわみリング１６は、内側フレーム１２と外側フレーム１４に結合されており、中央通路２４と中央開口２６の両方の外側に位置している。詳細には、たわみリング１６は、領域２８、３０、３２で内側フレーム１２に結合され、領域３４、３６、３８で外側フレーム１４に結合されている。領域３４は、領域２８、３０の間に、それらから等距離で配置されている。領域３６は、領域３０、３２の間に、それらから等距離で配置されている。また、領域３８は、領域２８、３２の間に、それらから等距離で配置されている。この方法によれば、たわみリング１６は、コンプライアント・デバイス１８、テンプレート・チャック２０、テンプレート２２を取り囲み、かつ、内側フレーム１２を外側フレーム１４に固定して取り付けることができる。コンプライアント・デバイス１８の四隅２７は、ねじが切られたファスナ（図示せず）を使用して面２５に取り付けられている。
【０００８】
オリエンテーション・ステージ１０は、テンプレート２２の動きを制御し、かつ、基準面（図示せず）に対する所望の空間関係でテンプレート２２を配置するように構成されている。そのために、複数のアクチュエータ４０、４２、４４が、外側フレーム１４と内側フレーム１２の間に、オリエンテーション・ステージ１０の周りに間隔を隔てて接続されている。アクチュエータ４０、４２、４４は、それぞれ第１の端部４６と第２の端部４８を有している。アクチュエータ４０の第１の端部４６は外側フレーム１４と対向し、第２の端部４８は内側フレーム１２と対向している。アクチュエータ４０、４２、４４は、３つの軸Ｚ1、Ｚ2、Ｚ3に沿った内側フレーム１２の並進動きを容易にすることによって内側フレーム１２を外側フレーム１４に対して傾斜させている。オリエンテーション・ステージ１０は、軸Ｚ1、Ｚ2、Ｚ3の周りの約±１．２ｍｍの動き範囲を提供することができる。この方法によれば、アクチュエータ４０、４２、４４は、内側フレーム１２に、コンプライアント・デバイス１８、延いてはテンプレート２２とテンプレート・チャック２０の両方に、複数の軸Ｔ1、Ｔ2、Ｔ3のうちの１つまたは複数の周りの角度的な動きをさせることができる。詳細には、軸Ｚ2、Ｚ3に沿った内側フレーム１２と外側フレーム１４の間の距離を短くし、かつ、軸Ｚ1に沿ったそれらの間の距離を長くすることにより、傾斜軸Ｔ2の周りの第１の方向の角度的な動きが生じる。軸Ｚ2、Ｚ3に沿った内側フレーム１２と外側フレーム１４の間の距離を長くし、かつ、軸Ｚ1に沿ったそれらの間の距離を短くすることにより、傾斜軸Ｔ2の周りの、第１の方向とは逆の第２の方向の角度的な動きが生じる。同様の方法で、内側フレーム１２が、軸Ｚ3に沿って逆方向に、軸Ｚ1、Ｚ2に沿った移動の２倍の距離を移動している間に、内側フレーム１２を軸Ｚ1、Ｚ2に沿って同じ方向に、同じ大きさで移動させることによって内側フレーム１２と外側フレーム１４の間の距離を変更することにより、軸Ｔ1の周りの角度的な動きが生じる。同様に、内側フレーム１２が、軸Ｚ2に沿って逆方向に、軸Ｚ1、Ｚ3に沿った移動の２倍の距離を移動している間に、内側フレーム１２を軸Ｚ1、Ｚ3に沿って同じ方向に、同じ大きさで移動させることによって内側フレーム１２と外側フレーム１４の間の距離を変更することにより、軸Ｔ3の周りの角度的な動きが生じる。アクチュエータ４０、４２、４４は、±２００Ｎの最大動作力を有することができる。オリエンテーション・ステージ１０は、軸Ｔ1、Ｔ2、Ｔ3の周りの約±０．１５°の動き範囲を提供することができる。
【０００９】
アクチュエータ４０、４２、４４は、機械部品が最少になり、したがって不均一な機械コンプライアンスと微粒子の原因による摩擦が最小化されるよう選択される。アクチュエータ４０、４２、４４の例には、ボイス・コイル・アクチュエータ、圧電アクチュエータ、リニア・アクチュエータがある。アクチュエータ４０、４２、４４の例示的実施形態は、Ｃａｌｉｆｏｒｎｉａ州Ｓｙｌｍａｒ在所のＢＥＩ  ＴｅｃｈｎｏｌｏｇｉｅｓからＬＡ２４−２０−０００Ａの商品名で入手することができる。また、アクチュエータ４０、４２、４４は、内側フレーム１２と外側フレーム１４の間に、それらの周りに対称になるように結合されており、中央通路２４と中央開口２６の外側に位置している。このような構成により、外側フレーム１４からコンプライアント・デバイス１８まで、障害物のない通路が構成される。また、構造が対称であるため、動的振動や不均一な熱ドリフトが最小化され、それにより内側フレーム１２の微小動き修正が提供される。
【００１０】
内側フレーム１２、外側フレーム１４、たわみリング１６、アクチュエータ４０、４２、４４の組合せによってコンプライアント・デバイス１８の角度的な動きが提供され、延いては傾斜軸Ｔ1、Ｔ2、Ｔ3の周りのテンプレート・チャック２０、テンプレート２２の角度的な動きが提供される。しかしながら、テンプレート２２には、完全に直角ではないとしても、軸Ｚ1、Ｚ2、Ｚ3に対して横方向に延びている平面に存在している軸に沿った並進動きが付与されることが望ましい。これは、テンプレート、テンプレート・チャック、コンプライアント・デバイスを組み立てる際にテンプレートの面に存在する、傾斜軸Ｔ1、Ｔ2、Ｔ3とは間隔を隔てた、図のＣ1、Ｃ2で示す複数のコンプライアンス軸のうちの１つまたは複数の軸の周りの角度的な動きをテンプレート２２に付与する機能をコンプライアント・デバイス１８に提供することによって達成される。
【００１１】
図３、４を参照すると、コンプライアント・デバイス１８は、サポート・ボディ５０、複数のたわみアーム５４、５６、５８、６０、向かい合ってサポート・ボディ５０に結合されたフローティング・ボディ５２を備えている。テンプレート・チャック２０は、従来の締付け手段を介してフローティング・ボディ５２に取り付けるように意図されており、テンプレート２２は、従来の方法を使用したチャックによって保持されている。
【００１２】
たわみアーム５４、５６、５８、６０は、それぞれ第１のセットと第２のセットのたわみ継手６２、６４、６６、６８を備えている。説明を分かり易くするために、たわみアーム５６に関連して第１のセットと第２のセットのたわみ継手６２、６４、６６、６８について説明するが、この説明は、たわみアーム５６、５８、６０と結合しているたわみ継手のセットについても等しく適用される。必ずしもその必要はないが、コンプライアント・デバイス１８は、ソリッド・ボディ、たとえばステンレス鋼から形成されている。したがって、サポート・ボディ５０とフローティング・ボディ５２、わみアーム５４、５６、５８、６０は一体形成されており、第１のセットと第２のセットのたわみ継手６２、６４、６６、６８と向かい合って、一体として回転結合されている。サポート・ボディ５０は、中央に配置された通路７０を備えている。フローティング・ボディは、中央に配置された、通路７０と重畳している開口７２を備えている。たわみアーム５４、５６、５８、６０は、それぞれその両端に端部７４、７６を備えている。個々のたわみアーム５４、５６、５８、６０の端部７４は、たわみ継手６６、６８を介してサポート・ボディ５０に接続されている。端部７４は、通路７０の外側に位置している。個々のたわみアーム５４、５６、５８、６０の端部７６は、たわみ継手６２、６４を介してフローティング・ボディ５２に接続されている。端部７６は、開口７２の外側に位置している。
【００１３】
図４、５を参照すると、継手６２、６４、６６、６８は、それぞれ、端部７４、７６の近傍、つまりサポート・ボディ５０またはフローティング・ボディ５２のいずれか一方と、たわみアーム５４、５６、５８、６０のうちの１つとの界面に、デバイス１８から変形させた材料によって形成されている。そのために、たわみ継手６２、６４、６６、６８は、デバイス１８を機械加工し、レーザ切断し、あるいは他の適切な処理を施すことによって形成されている。詳細には、継手６４、６６は、対向する２つの面８０、８２を有するたわみ部材７８から形成されている。面８０、８２の各々は、それぞれ隙間８４、８６を備えている。隙間８４は、隙間８６とは反対の方向に向いて配置されており、また、隙間８６は、隙間８４とは反対の方向に向いている。面８０から遠ざかる方向に隙間８６から延びているギャップ８８は、たわみアーム５６の周囲の開口の中で終端している。継手６２、６６８も、対向する２つの面９２、９４を有するたわみ部材９０から形成されている。面９２、９４の各々は、それぞれ隙間９６、９８を備えている。隙間９８は、面９２に向かって配置されており、隙間９８は、面９４とは反対の方向に向いている。ギャップ１００は、面９２から遠ざかる方向に隙間９８から延びており、ギャップ１０２は、隙間９８から延びている。ギャップ８８、１００、１０２の間隔Ｓ１、Ｓ２、Ｓ３は、サポート・ボディ５０とフローティング・ボディ５２のいずれかの間で相対動きが生じることになる動き範囲をそれぞれ決めている。
【００１４】
図３、５を参照すると、たわみアーム５６、５８の継手６２と結合しているたわみ部材９０は、軸１０４の周りの回転を容易にしており、また、たわみアーム５６、５８の継手６６と結合しているたわみ部材７８は、軸１０６の周りの回転を容易にしている。たわみアーム５４、６０の継手６２と結合しているたわみ部材９０は、軸１０８の周りの回転を容易にしており、また、たわみアーム５４、６０の継手６６と結合しているたわみ部材７８は、軸１１０の周りの回転を容易にしている。たわみアーム５４、５６の継手６４と結合しているたわみ部材７８は、軸１１２の周りの回転を容易にしており、また、たわみアーム５４、５６の継手６８と結合しているたわみ部材９０は、軸１１４の周りの回転を容易にしている。たわみアーム５８、６０の継手６４と結合しているたわみ部材７８は、軸１１６の周りの回転を容易にしており、また、たわみアーム５８、６０の継手６８と結合しているたわみ部材９０は、軸１１８の周りの回転を容易にしている。
【００１５】
したがって、たわみアーム５４、５６、５８、６０は、それぞれ、回転軸のグループがオーバラップする前記デバイス１８の領域に配置されている。たとえば、たわみアーム５４の端部７４は、軸１１０、１１４がオーバラップする領域に配置されており、端部７６は、軸１０８、１１２がオーバラップする領域に配置されている。たわみアーム５６の端部７４は、軸１０６、１１４がオーバラップする領域に配置されており、端部７６は、軸１１０、１１２がオーバラップする領域に配置されている。たわみアーム５８の端部７４は、軸１０６、１１８がオーバラップする領域に配置されており、端部７６は、軸１０４、１１６がオーバラップする領域に配置されている。同様に、たわみアーム６０の端部７４は、軸１１０、１１８がオーバラップする領域に配置されており、端部７６は、軸１０８、１１６がオーバラップする領域に配置されている。
【００１６】
この構成の結果として、たわみアーム５４、５６、５８、６０は、それぞれ、サポート・ボディ５０とフローティング・ボディ５２に対して、軸がオーバラップしている２つのグループ（第１のグループがもう１つのグループに対して横方向に延びている）の周りの相対回転動きを提供するように結合されている。したがって、たわみアーム５４、５６、５８、６０の各々に、直交する軸の２つのグループの周りの動きが提供され、かつ、これらのたわみアームのフットプリントが最小化される。デバイス１８は、上記軸の上方に、約±０．０４°の傾斜動き範囲、約±０．０２°のアクティブ傾斜動き範囲、約±０．０００５°のアクティブ・シータ動き範囲を提供することができる。さらに、たわみアーム５４、５６、５８、６０の個々のフットプリントが小さくなるため、たわみアーム５４、５６、５８、６０によって妨害されない空隙１２０を通路７０と開口７２の間に残すことができる。したがってデバイス１８は、インプリント・リソグラフィ・システムとの使用に適している。これについては、以下でより詳細に説明する。
【００１７】
図４、６、７を参照すると、サポート・ボディ５０とフローティング・ボディ５２に対するたわみアーム５４、５６、５８、６０のこの構成は、デバイス１８の荷重の平行伝達を容易にしている。たとえば、サポート・ボディ５０に荷重力が付与されると、個々のたわみアーム５４、５６、５８、６０は、実質的に同じ大きさの力Ｆ1をフローティング・ボディ５２に付与する。これは、とりわけ、力Ｆ1またはＦ2のいずれかが付与された場合の、デバイス１８を使用した所望の構造剛性の達成を容易にしている。そのために、継手６２、６４、６６、６８は回転継手であり、たわみとサポート・ボディ５０またはフローティング・ボディ５２のいずれかとの間の、回転動きを除くあらゆる方向の動きが最小化される。詳細には、継手６２、６４、６６、６８は、たわみアーム５４、５６、５８、６０、サポート・ボディ５０、フローティング・ボディ５２の間の並進動きを最小化し、かつ、軸１０４、１０６、１０８、１１０、１１２、１１４、１１６、１１８の周りの回転動きを容易にしている。
【００１８】
図４、５、６、７を参照すると、軸１０４、１０６、１０８、１１０の相対位置は、フローティング・ボディ５２の、フローティング・ボディ５２から間隔を隔てた、開口７２の中心に、軸１０４、１０６、１０８、１１０の各々から等距離に位置している位置１２２に、第１のリモート・センタ・コンプライアンス（ＲＣＣ）を提供している。同様に、軸１１２、１１４、１１６、１１８の相対位置は、フローティング・ボディ５２の、位置１２２の実質的に近くに第２のＲＣＣを提供している。この第２のＲＣＣは、位置１２２に位置していることが望ましい。軸１１２、１１４、１１６、１１８は、それぞれ、位置１２２から等距離に位置している。軸１０４、１０６、１０８、１１０のグループの軸は、それぞれ、そのグループの残りの軸１０４、１０６、１０８、１１０に対して平行に延びている。同様に、軸１０４、１０６、１０８、１１０のグループの軸は、それぞれ、そのグループの残りの軸１０４、１０６、１０８、１１０に対して平行に延び、かつ、軸１０４、１０６、１０８、１１０の各々に対して直角に延びている。軸１１０は、第１の方向に沿って、軸１０８からｄ1の距離だけ間隔を隔てており、また、直交する第２の方向に沿って、軸１０８からｄ2の距離だけ間隔を隔てている。軸１０４は、第１の方向に沿って、軸１０６からｄ3の距離だけ間隔を隔てており、また、第２の方向に沿って、軸１０６からｄ4の距離だけ間隔を隔てている。軸１１２は、第１と第２の両方の方向に直交している第３の方向に沿って、軸１１４からｄ5の距離だけ間隔を隔てており、また、第２の方向に沿って、軸１１４からｄ6の距離だけ間隔を隔てている。軸１１６は、第２の方向に沿って、軸１１８からｄ７の距離だけ間隔を隔てており、また、第３の方向に沿って、軸１１８からｄ8の距離だけ間隔を隔てている。距離ｄ1、ｄ4、ｄ6、ｄ7は、実質的に同じ距離である。距離ｄ2、ｄ3、ｄ5、ｄ8は、実質的に同じ距離である。
【００１９】
横方向に延びている複数の軸の２つのセットは、それらの交点にＲＣＣ１２２が位置していると見なすことができるよう、距離ｄ1〜ｄ8を適切に確立することによって実質的に極めて近くに配置することができる。４つの軸が含まれている第１のセットは、１２４、１２６、１２８、１３０で示されている。たわみアーム５４の継手６２、６６６は、軸１２４に沿って位置しており、たわみアーム５６の継手６２、６６６は、軸１２６に沿って位置している。たわみアーム５８の継手６２、６６は、軸１２８に沿って位置しており、たわみアーム６０の継手６２、６６は、軸１３０に沿って位置している。４つの軸の第２のセットは、１３２、１３４、１３６、１３８で示されている。たわみアーム５６の継手６４、６８は、軸１３２に沿って位置しており、たわみアーム５８の継手６４、６８は、軸１３４に沿って位置している。たわみアーム６０の継手６４、６８は、軸１３６に沿って位置しており、たわみアーム５４の継手６４、６８は、軸１３８に沿って位置している。この構成により、ＲＣＣ１２２に対する、軸１２４、１２６、１２８、１３０、１３２、１３４、１３６、１３８のセットのうちの任意の１つの周りのフローティング・ボディ５２の動きが、残りの軸１２４、１２６、１２８、１３０、１３２、１３４、１３６、１３８の周りの動きから結合解除される。したがって、ＲＣＣ１２２に対するフローティング・ボディ５２のジンバル様の動きが提供され、この構造の剛性によって、完全には防止することはできないとしても、軸１２４、１２６、１２８、１３０、１３２、１３４、１３６、１３８に対するフローティング・ボディの並進動きが抑制される。
【００２０】
図４、１０を参照すると、本発明の代替実施形態によれば、デバイス１８は、デバイス１８と共に示されている能動コンプライアンス機能を備えることができる。そのために、複数のレバー・アーム１４０、１４２、１４６、１４８がフローティング・ボディ５２に結合されている。これらのレバー・アームは、サポート・ボディ５０に向かって延び、アクチュエータのピストンの近傍で終端している。図に示すように、レバー・アーム１４０の一方の端部は、アクチュエータ１５０のピストンの近傍に配置され、レバー・アーム１４２の一方の端部は、アクチュエータ１５２のピストンの近傍に配置され、レバー・アーム１４６の一方の端部は、アクチュエータ１５４のピストンの近傍に配置され、また、アクチュエータ・アーム１１８の一方の端部は、アクチュエータ・アーム１１８に結合されたアクチュエータ１５６のピストンの近傍に配置されている。アクチュエータ１５０、１５２、１５４、１５６の適切なセットを起動することにより、サポート・ボディ５０に対するフローティング・ボディ５２の相対位置の角位置決めを達成することができる。アクチュエータ１５０、１５２、１５４、１５６の例示的実施形態は、Ｃａｌｉｆｏｒｎｉａ州Ｓｙｌｍａｒ在所のＢＥＩ  ＴｅｃｈｎｏｌｏｇｉｅｓからＬＡ１０−１２−０２７Ａの商品名で入手することができる。
【００２１】
アクチュエータ１５０、１５２、１５４、１５６を起動することにより、サポート・ボディ５０に対するフローティング・ボディ５２の回転動きを提供することができる。たとえば、アクチュエータ１５０を起動することにより、レバー・アーム１４０をＦ1の方向に沿って移動させることができ、また、アクチュエータ１５４を操作することにより、レバー・アーム１４６をレバー・アーム１４０が移動する方向とは逆の方向に移動させることができる。同様に、アクチュエータ１５２、１５６のうちの少なくともいずれか一方を起動することにより、それぞれレバー・アーム１４２、１４８を移動させることができる。アクチュエータ１５２、１５６の両方を起動すると、レバー・アーム１４０、１４２、１４６、１４８の各々が、たわみアーム５４、５６、５８、６０のうちの１つに向かって移動する（レバー・アーム１４０、１４２、１４６、１４８は、それぞれ異なるたわみアーム５４、５６、５８、６０に向かって移動する）。たとえば、レバー・アーム１４０はたわみアーム５４に向かって移動し、レバー・アーム１４２はたわみアーム５６に向かって移動し、レバー・アーム１４６はたわみアーム５８に向かって移動し、レバー・アーム１４２はたわみアーム６０に向かって移動する。この移動により、Ｆ3の方向の周りの回転動きが付与される。しかしながら、レバー・アーム１４０、１４２、１４６、１４８は、それぞれ逆の方向に移動させることも可能であることを理解されたい。Ｆ3の方向の周りの回転動きを付与している間、Ｆ3の方向に沿った、サポート・ボディ５０とフローティング・ボディ５２の間の並進変位を防止することが望ましい場合、レバー・アーム１４０、１４２、１４６、１４８をそれぞれ同じ大きさで移動させることができる。しかしながら、Ｆ1方向とＦ2方向の周りのフローティング・ボディ５２の回転動きを付与することが望ましい場合、様々な方法で達成することができる。
【００２２】
フローティング・ボディ５２の回転動きは、第１と第２のＲＣＣによって案内されるため、Ｆ3方向に沿った並進によって、サポート・ボディに対するフローティング・ボディ５２の独立した２つの角度構成を能動的に調整することができる。たとえば、レバー・アーム１４０、１４２、１４６、１４８の各々をそれぞれアクチュエータ１５０、１５２、１５４、１５６を使用して移動させることにより、Ｆ3方向の周りに角変位させている間、Ｆ3方向に沿ったフローティング・ボディ５２の並進に異なる量を与えることができる。また、レバー・アーム１４０、１４２、１４６、１４８のうちの３つだけを移動させることにより、Ｆ3方向の周りに角変位させている間、Ｆ3方向の周りの並進動きを与えることができる。サポート・ボディ５０とフローティング・ボディ５２の間に、それらの間に回転動きを付与することなく並進動きを提供することが望ましい場合、アクチュエータ１５０、１５２、１５４、１５６のうちの２つを起動して、レバー・アーム１４０、１４２、１４６、１４８のうちの２つを移動させることができる。一例として、対向する２つのレバー・アーム、たとえば１４０と１４６または１４２と１４８を同じ方向に、同じ大きさで移動させることができる。レバー・アーム１４０、１４６をそれぞれ１つの方向、たとえばたわみアーム６０、５８に向かって移動させることにより、フローティング・ボディ５２の面全体がたわみアーム５８、６０の間を延び、それによりフローティング・ボディ５２の面と重畳しているサポート・ボディ５０の面からの距離が長くなり、事実上、フローティング・ボディ１６のＦ2方向の周りの回転動きが生成される。たわみアーム５６、５４の間を延びているフローティング・ボディ５２の面と、フローティング・ボディ５２の面と重畳しているサポート・ボディ５０の面との間の距離は短くなる。一方、レバー・アーム１４０、１４６を逆方向、たとえばたわみアーム５４、５６に向かって移動させることにより、フローティング・ボディ５２の面全体がたわみアーム５８と６０の間を延び、それによりサポート・ボディ５０の面からの距離が短くなる。たわみアーム５８と６０の間を延びているフローティング・ボディ５２の面と、フローティング・ボディ５２の面と重畳しているサポート・ボディ５０の面との間の距離は長くなる。同様に、フローティング・ボディ５２のＦ1方向の周りの回転動きは、レバー・アーム１４０、１４６の移動に関連して上で説明したように、レバー・アーム１４２、１４８をそれぞれアクチュエータ１５２、１５６を使用して移動させることによって達成することができる。所望の動きを達成するために、上記レバー・アームの移動を任意に線形結合することができることを理解されたい。
【００２３】
以上の説明から、フローティング・ボディ５２のＦ1、Ｆ2、Ｆ3方向の周りの回転動きは、互いに直交していることが分かる。アクチュエータ１５０、１５２、１５４、１５６の個々の駆動力の大きさまたはアクチュエータの位置を調整することにより、たわみアーム５４、５６、５８、６０とフローティング・ボディ５２とサポート・ボディ５０の構造的な剛直性によって、Ｆ1、Ｆ2、Ｆ3方向の周りのあらゆる結合すなわち回転動きが制限される。
【００２４】
図１、１１、１２を参照すると、オリエンテーション・ステージ１０は、その動作の点で、通常、インプリント・リソグラフィ・システム（図示せず）と共に使用される。例示的なリソグラフィ・システムは、Ｔｅｘａｓ７８７５８、Ａｕｓｔｉｎ、Ｓｕｉｔｅ１００、Ｂｒａｋｅｒ  Ｌａｎｅ１８０７−Ｃに事業所を構えているＭｏｌｅｃｕｌａｒ  Ｉｍｐｒｉｎｔｓ社から、ＩＭＰＲＩＯ（商標）２５０の商品名で入手することができる。ＩＭＰＲＩＯ  １００（商標）のシステムの説明については、参照により本明細書に組み込まれているｗｗｗ．ｍｏｌｅｃｕｌａｒｉｍｐｒｉｎｔｓ．ｃｏｍを参照されたい。したがって、オリエンテーション・ステージ１０を使用することにより、テンプレート２２と、テンプレート２２に重畳している面、たとえば基板１５８の面を容易に整列させることができる。したがって基板１５８の面は、基板１５８が形成される材料、たとえば天然酸化物が存在しているケイ素からなっていても、あるいはたとえば導電材料、誘電材料などのパターン化層または非パターン化層からなっていてもよい。
【００２５】
図に示すテンプレート２２と基板１５８は、一定の距離で間隔を隔てており、それらの間にギャップ１６０を形成している。ギャップ１６０と結合している体積は、基板と対向しているテンプレート２２の面や、テンプレート２２と対向している基板１５８の面のトポグラフィ、さらに基板１５８の中立軸Ｂに対する基板の中立軸Ａの角度関係を始めとする多くの要因によって決まる。また、上記両方の面のトポグラフィがパターン化される場合、ギャップ１６０と結合している体積は、さらに、テンプレート２２と基板１５８の間の軸Ｚの周りの角度関係によって決まる。インプリント・リソグラフィ技法を使用した望ましいパターニングが、適切な体積をギャップ１６０に提供することに大きく依存していることを考慮すると、テンプレート２２と基板１５８を正確に整列させることが望ましい。そのために、テンプレート２２は、テンプレート・アラインメント・マークを備えており（図に示す１６２は、そのうちの１つである）、基板１５８は、基板アラインメント・マークを備えている（図に示す１６４は、そのうちの１つである）。
【００２６】
この例では、テンプレート・アラインメント・マーク１６２と基板アラインメント・マーク１６４が重畳すると、テンプレート２２と基板１５８の間の所望の整列が得られることが仮定されている。図に示すように、２つのマークが距離Ｏだけオフセットしている場合、テンプレート２２と基板１５８の間の所望の整列は得られない。また、オフセットＯは、１つの方向の線形オフセットとして示されているが、オフセットは、Ｏ1、Ｏ2で示す２つの方向に沿って直線的に存在することを理解されたい。また、テンプレート２２と基板１５８の間のオフセットは、１つまたは２つの方向の上記線形オフセット以外に、あるいは上記線形オフセットの代わりに、図１３に角度θで示す角度オフセットからなっている場合もある。
【００２７】
図２、１０、１４を参照すると、１つまたは複数の軸Ｔ1、Ｔ2、Ｔ3、Ｆ1、Ｆ2、Ｆ3の周りの回転動きを組み合せることによって、テンプレート２２と基板１５８の間の所望の整列が得られる。詳細には、線形オフセットを小さくするために、コンプライアント・デバイス１８、テンプレート・チャック２０、テンプレート２２の１つまたは複数の軸Ｔ1、Ｔ2、Ｔ3の周りの動きが、１つのユニットの動きとして試行される。通常、この試行によって、中立軸ＡとＢの間に斜角Φが生成される。次に、角度Φを補償するために軸Ｆ1、Ｆ2のうちのいずれか一方または両方の周りのテンプレート２２の角度的な動きが試行され、それにより中立軸Ａが中立軸Ｂに平行に延びることが保証される。さらに、軸Ｔ1、Ｔ2、Ｔ3、Ｆ1、Ｆ2の周りの角度的な動きを組み合せることにより、中立軸Ｂに平行に延び、かつ、完全には直角ではないにしても、軸Ｚ1、Ｚ2、Ｚ3に対して横方向に延びている平面内におけるテンプレート２２の動きを実現するためのテンプレート２２の揺動動きが得られる。この方法によれば、図１５に示すように、中立軸Ｂに平行に延びている平面に位置している直線軸に沿って、テンプレート２２を基板１５８に対して適切に整列させることができる。完全には除去することはできないとしても、角度オフセットを小さくすることが望ましい場合、所望の整列を提供するために、アクチュエータ１５０、１５２、１５４、１５６を使用して軸Ｆ３の周りにテンプレート２２を回転させることができる。
【００２８】
所望の整列が得られると、アクチュエータ４０、４２、４４が起動され、テンプレート２２が移動して基板の近傍の面に接触する。この例では、面は、基板１５８の上に配置された重合可能なインプリント可能材料１６６からなっている。アクチュエータ４０、４２、４４は、所望の整列が一度得られると、中立軸ＡとＢの間に形成される角度の変化を最小化するように動作することに留意されたい。しかしながら、たわみ継手６２、６４、６６、６８およびたわみアーム５４、５６、５８、６０によって決まる角度の平行からの逸脱が、コンプライアント・デバイス１８のコンプライアンス許容誤差範囲内である限り、中立軸ＡとＢは、必ずしも互いに正確に平行に延びている必要はないことを知っておかれたい。この方法によれば、重合可能材料中へのパターン形成の解像度を最小化するために、可能な限り平行になるように中立軸ＡとＢを配向することができる。したがって、第１と第２のＲＣＣが位置している位置１２２は、テンプレート２２と材料の界面に配置されることが望ましい。
【００２９】
図１、１６、１７を参照すると、上で説明したように、上記システム１０は、インプリント・リソグラフィ技法を使用した、基板１５８などの基板のパターニングに有用である。そのために、テンプレート２２は、通常、型１７２を形成しているパターンがその面に記録されたメサ１７０を備えている。参照により本明細書に組み込まれている米国特許第６，６９６，２２０号に、例示的なテンプレート２２が示されている。型１７２のパターンは、図に示すように、間隔を隔てた複数の凹所１７４と突起１７６によって形成された複数のフィーチャの滑らかな面からなっていてもよい。突起３０は幅Ｗ1を有しており、凹所２８は幅Ｗ2を有している。これらの複数のフィーチャは、基板１５８に転写されるパターンの基礎を形成する原始パターンを形成している。
【００３０】
図１６、１７を参照すると、材料１６６に記録されるパターンは、部分的には材料１６６と型１７２および図に示すように転写層１７８などの既存の層を備えることができる基板１５８との機械的な接触によって生成される。転写層１７８の例示的な実施形態は、Ｍｉｓｓｏｕｒｉ州Ｒｏｌｌａ在所のＢｒｅｗｅｒ  Ｓｃｉｅｎｃｅ社から、ＤＵＶ３０Ｊ−６の商品名で入手することができる。材料１６６、転写層１７８は、ドロップ・ディスペンス技法および回転塗布技法を始めとする知られている任意の技法を使用して付着させることができることを理解されたい。
【００３１】
材料１６６の、突起３０と重畳している部分１８０は、材料１６６と接触する際に、ｔ1の厚さを維持していることが望ましく、また、サブ部分１８２は、ｔ2の厚さを維持していることが望ましい。厚さｔ1は残留厚さと呼ばれている。厚さ「ｔ1」と「ｔ2」は、アプリケーションに応じて所望の任意の厚さにすることができる。厚さｔ1とｔ2は、１０ｎｍから１０μｍの範囲の値を持たせることができる。材料１６６を含有している総体積は、基板１５８の、型１７２と重畳していない領域を超えて延びる材料１６６の量を最小化するか、あるいは回避することができ、かつ、所望の厚さｔ1、ｔ2を得ることができる体積にすることができる。そのために、メサ１７０は、凹所１７４の深さｈrより実質的に高い高さｈmを備えている。この方法によれば、ｔ1とｔ2が所望の厚さに到達した場合に、基板１５８と型１７２との材料１６６の毛管力によって、基板１５８の、型１７２と重畳していない領域を超えて延びる材料１６６の移動が制限される。
【００３２】
システム１０によって提供される利点は、厚さｔ1とｔ2の正確な制御が容易になることである。詳細には、厚さｔ1には、それぞれ実質的に同じ厚さを持たせ、また、厚さｔ2にも、それぞれ実質的に同じ厚さを持たせることが望ましい。図１６に示すように、厚さｔ1は一様ではなく、また、厚さｔ2も一様ではない。これは、基板１５８に対する型１７２の望ましくない配向である。本発明によるシステム１０を使用することにより、図１７に示すように、一様な厚さｔ1とｔ2を得ることができる。したがって、極めて望ましいことに、厚さｔ1とｔ2を正確に制御することができる。本発明によれば、システム１０によって、たとえば約５０ｎｍ以下の最小フィーチャ・サイズを有する３シグマの整列精度が提供される。
【００３３】
本発明の実施形態についての以上の説明は、例示的なものにすぎない。したがって、上で説明した開示には、本発明の範囲を維持しつつ多くの変更や修正を加えることができる。したがって本発明の範囲は、上記の説明には一切制限されず、特許請求の範囲およびそれらの等価物のすべての範囲を参照して決定されるものとする。
【図面の簡単な説明】
【００３４】
【図１】本発明によるテンプレート・チャックとテンプレートを示すオリエンテーション・ステージの分解斜視図である。
【図２】図１に示すオリエンテーション・ステージの斜視図である。
【図３】本発明の第１の実施形態によるテンプレート・ホルダとテンプレートと共に図１に示すオリエンテーション・ステージに含まれている受動コンプライアント・デバイスの分解斜視図である。
【図４】図３に示す受動コンプライアント・デバイスの詳細斜視図である。
【図５】中に含まれているたわみ継手を詳細に示す、図４に示す受動コンプライアント・デバイスの側面図である。
【図６】図４に示す受動コンプライアント・デバイスの側面図である。
【図７】図６に示す、９０度回転した受動コンプライアント・デバイスの側面図である。
【図８】図６に示す、１８０度回転した受動コンプライアント・デバイスの側面図である。
【図９】図６に示す、２７０度回転した受動コンプライアント・デバイスの側面図である。
【図１０】本発明の代替実施形態によるコンプライアント・デバイスの斜視図である。
【図１１】１つの方向に沿った不整列を示す、図１に示す、基板と重畳したテンプレートの簡易正面図である。
【図１２】２つの横方向に沿った不整列を示す、図１１に示すテンプレートと基板の上から見た図である。
【図１３】角不整列を示す、図１１に示すテンプレートと基板の上から見た図である。
【図１４】角不整列を示す、図１に示す、基板と重畳したテンプレートの簡易正面図である。
【図１５】図１１、１２、１３、１４に示すテンプレートと基板の間の所望の整列を示す簡易正面図である。
【図１６】図１、３、１１、１２、１３、１４、１５に示す、基板と重畳したテンプレートの一実施形態の詳細図である。
【図１７】基板に対する所望の空間配置を示す、図１６に示すテンプレートの詳細図である。
【図１】
2008504140.tif 000003
【図２】
2008504140.tif 000004
【図３】
2008504140.tif 000005
【図４】
2008504140.tif 000006
【図５】
2008504140.tif 000007
【図６】
2008504140.tif 000008
【図７】
2008504140.tif 000009
【図８】
2008504140.tif 000010
【図９】
2008504140.tif 000011
【図１０】
2008504140.tif 000012
【図１１】
2008504140.tif 000013
【図１２】
2008504140.tif 000014
【図１３】
2008504140.tif 000015
【図１４】
2008504140.tif 000016
【図１５】
2008504140.tif 000017
【図１６】
2008504140.tif 000018
【図１７】
2008504140.tif 000019
【手続補正書】
【提出日】平成19年2月2日(2007.2.2)
【手続補正１】
【補正対象書類名】特許請求の範囲
【補正対象項目名】全文
【補正方法】変更
【補正の内容】
【特許請求の範囲】
【請求項１】
サポート・ボディと、
フローティング・ボディと、
前記サポート・ボディと前記フローティング・ボディの間に結合された複数のたわみアームであって、前記複数のたわみアームのサブセットが、第１のセットと第２のセットのたわみ継手を有し、前記第１のセットと第２のセットのたわみ継手が、前記複数のたわみアームの前記サブセットが、前記サポート・ボディと前記フローティング・ボディの間で荷重を前記複数のたわみアームの残りのたわみアームに並列に伝達することができるよう、それぞれ第１と第２の軸の周りの前記複数のたわみアームの前記サブセットの回転動きを提供するたわみアームとを備えたコンプライアント・デバイス。
【請求項２】
前記複数のたわみアームが、前記フローティング・ボディと前記サポート・ボディの間の、横方向に延び、一点で交差している２つの軸の周りの相対回転動きを容易にしている請求項１に記載のデバイス。
【請求項３】
前記複数のたわみアームが、前記フローティング・ボディと前記サポート・ボディの間の、横方向に延び、一点で交差している２つの軸の周りの相対回転動きを容易にし、横方向に展開している前記２つの軸のうちの一方の軸の周りの動きが、横方向に展開している前記２つの軸のうちのもう一方の軸の周りの動きから結合解除された請求項１に記載のデバイス。
【請求項４】
前記複数のたわみアームが、前記フローティング・ボディと前記サポート・ボディの間の、横方向に延び、一点で交差している２つの軸の周りの相対回転動きを容易にし、かつ、前記サポート・ボディと前記フローティング・ボディの間の相対並進動きを最小化している請求項１に記載のデバイス。
【請求項５】
前記第１の軸が前記第２の軸に対して横方向に展開している請求項１に記載のコンプライアント・デバイス。
【請求項６】
前記サポート・ボディ、前記フローティング・ボディと前記複数のたわみアームが一体形成された請求項１に記載のコンプライアント・デバイス。
【請求項７】
前記複数のたわみアームが、前記サポート・ボディと前記フローティング・ボディの間で伝達されるすべての荷重が並列に生じるように結合された請求項１に記載のコンプライアント・デバイス。
【請求項８】
前記フローティング・ボディが開口を備え、前記複数のたわみアームの各々の一方の端部が前記開口の外側で前記フローティング・ボディに結合された請求項１に記載のコンプライアント・デバイス。
【請求項９】
前記サポート・ボディが通路を備え、前記複数のたわみアームの第２の端部が前記通路の外側で前記サポート・ボディに結合された請求項１に記載のコンプライアント・デバイス。
【請求項１０】
前記サポート・ボディと前記フローティング・ボディの間の角度的な動き並進動きを容易にするように結合されたアクチュエータ・システムをさらに備えた請求項１に記載のコンプライアント・デバイス。
【請求項１１】
サポート・ボディと、
フローティング・ボディと、
前記サポート・ボディと前記フローティング・ボディの間に結合された複数のたわみアームであって、前記複数のたわみアームのサブセットが、第１のセットと第２のセットのたわみ継手を有し、前記第１のセットと第２のセットのたわみ継手が、前記たわみアームの前記サブセットが、前記サポート・ボディと前記フローティング・ボディの間で荷重を前記複数のたわみアームの残りのたわみアームに並列に伝達することができるよう、前記サポート・ボディと前記フローティング・ボディの間の、第１の軸のグループおよび第２の軸のグループの周りの回転動きを提供し、前記第１の軸のグループが前記第２の軸のグループに対して横方向に展開しているたわみアームとを備えたコンプライアント・デバイス。
【請求項１２】
前記複数のたわみアームが、４つのたわみアームからなり、一点の周りの回転動きを容易にし、かつ、所定のセットの軸に沿った並進動きを最小化している請求項１１に記載のコンプライアント・デバイス。
【請求項１３】
前記複数のたわみアームが、前記サポート・ボディおよび前記フローティング・ボディの両方から間隔を隔てた一点の周りの回転動きを容易にし、かつ、所定の軸に沿った前記フローティング・ボディの並進動きを最小化している請求項１１に記載のコンプライアント・デバイス。
【請求項１４】
前記複数のたわみアームが、前記フローティング・ボディと前記サポート・ボディの間の、横方向に延び、一点で交差している２つの軸の周りの相対回転動きを容易にしている請求項１１に記載のデバイス。
【請求項１５】
前記複数のたわみアームが、前記フローティング・ボディと前記サポート・ボディの間の、横方向に延び、一点で交差している２つの軸の周りの相対回転動きを容易にし、横方向に展開している前記２つの軸のうちの一方の軸の周りの動きが、横方向に展開している前記２つの軸のうちのもう一方の軸の周りの動きから結合解除された請求項１１に記載のデバイス。
【請求項１６】
前記複数のたわみアームが、前記フローティング・ボディと前記サポート・ボディの間の、横方向に延び、一点で交差している２つの軸の周りの相対回転動きを容易にし、かつ、前記サポート・ボディと前記フローティング・ボディの間の相対並進動きを最小化している請求項１１に記載のデバイス。
【請求項１７】
前記第１のたわみ継手が第１の軸の周りの回転を容易にするように結合され、前記第２のたわみ継手が、前記第１の軸に対して横方向に展開している第２の軸の周りの回転動きを容易にするように結合された請求項１１に記載のコンプライアント・デバイス。
【請求項１８】
前記サポート・ボディ、前記フローティング・ボディ前記複数のたわみアームが一体形成された請求項１１に記載のコンプライアント・デバイス。
【請求項１９】
前記複数のたわみアームが、前記サポート・ボディと前記フローティング・ボディの間で伝達されるすべての荷重が並列に生じるように結合された請求項１１に記載のコンプライアント・デバイス。
【請求項２０】
前記サポート・ボディと前記フローティング・ボディの間の角度的な動き並進動きを容易にするように結合されたアクチュエータ・システムをさらに備えた請求項１１に記載のコンプライアント・デバイス。
【請求項２１】
前記フローティング・ボディが開口を備え、前記サポート・ボディが、前記開口と重畳した通路を備え、前記たわみアームの各々の第１の端部が前記開口の外側で前記フローティング・ボディに結合され、前記複数のたわみアームの各々の第２の端部が前記通路の外側で前記サポート・ボディに結合された請求項１１に記載のコンプライアント・デバイス。
【請求項２２】
サポート・ボディと、
フローティング・ボディと、
前記サポート・ボディと前記フローティング・ボディの間に結合された複数のたわみアームであって、前記複数のたわみアームのサブセットが、第１のセットと第２のセットのたわみ継手を有し、前記第１のセットと第２のセットのたわみ継手が、前記複数のたわみアームの前記サブセットが、前記サポート・ボディと前記フローティング・ボディの間で荷重を前記複数のたわみアームの残りのたわみアームに並列に伝達することができるよう、前記サポート・ボディと前記フローティング・ボディの間の、複数の軸の周りの回転動きを提供し、前記複数のたわみアームの各々が、前記複数の軸のグループがオーバラップする位置に配置されたたわみアームとを備えたコンプライアント・デバイス。
【請求項２３】
前記複数のたわみアームの各々の第１の端部が、前記複数の軸の第１の対がオーバラップする位置で前記サポート・ボディに結合され、前記複数のたわみアームの各々の第２の端部が、前記複数の軸の第２の対がオーバラップする位置で前記フローティング・ボディに結合された請求項２２に記載のコンプライアント・デバイス。
【請求項２４】
前記第１のセットのたわみ継手が、第１の方向に沿って展開している軸の第１のグループの周りの回転動きを容易にし、前記第２のセットのたわみ継手が、前記第１の方向に対して横方向の第２の方向に沿って展開している軸の第２のグループの周りの前記たわみアームの回転動きを容易にしている請求項２２に記載のコンプライアント・デバイス。
【請求項２５】
前記複数のたわみアームが、前記フローティング・ボディと前記サポート・ボディの間の、横方向に延び、一点で交差している２つの軸の周りの相対回転動きを容易にしている請求項２２に記載のデバイス。
【請求項２６】
前記複数のたわみアームが、前記フローティング・ボディと前記サポート・ボディの間の、横方向に延び、一点で交差している２つの軸の周りの相対回転動きを容易にし、横方向に展開している前記２つの軸のうちの一方の軸の周りの動きが、横方向に展開している前記２つの軸のうちのもう一方の軸の周りの動きから結合解除された請求項２２に記載のデバイス。
【請求項２７】
前記複数のたわみアームが、前記フローティング・ボディと前記サポート・ボディの間の、横方向に延び、一点で交差している２つの軸の周りの相対回転動きを容易にし、かつ、前記サポート・ボディと前記フローティング・ボディの間の相対並進動きを最小化している請求項２２に記載のデバイス。
【請求項２８】
前記サポート・ボディ、前記フローティング・ボディ前記複数のたわみアームが一体形成された請求項２２に記載のコンプライアント・デバイス。
【請求項２９】
前記複数のたわみアームが、前記サポート・ボディと前記フローティング・ボディの間で伝達されるすべての荷重が並列に生じるように結合された請求項２２に記載のコンプライアント・デバイス。
【請求項３０】
前記フローティング・ボディが開口を備え、前記たわみアームの各々の一方の端部が前記開口の外側で前記フローティング・ボディに結合された請求項２２に記載のコンプライアント・デバイス。
【請求項３１】
前記フローティング・ボディが開口を備え、前記サポート・ボディが、前記開口と重畳した通路を備え、前記たわみアームの各々の第１の端部が前記開口の外側で前記フローティング・ボディに結合され、前記複数のたわみアームの各々の第２の端部が前記通路の外側で前記サポート・ボディに結合された請求項２２に記載のコンプライアント・デバイス。
【請求項３２】
前記サポート・ボディと前記フローティング・ボディの間の角度的な動き並進動きを容易にするように結合されたアクチュエータ・システムをさらに備えた請求項２２に記載のコンプライアント・デバイス。
【国際調査報告】
2008504140.tif 000020